(57)【要約】製品（４）の申出人（１４）と、その製品に関する潜在的有関心者（ｐｏｔｅｎｔｉａｌ ｉｎｔｅｒｅｓｔｅｄ ｐａｒｔｙ）（１）との間のネットワーク通信が、前記申出人（１４）が、たとえば新聞（２）である公示経路にその製品に関するアプローチ（３）を出し、次に、広告（３）とすることができる前記アプローチに、ユニークな知覚的要素 （ｕｎｉｑｕｅ ｐｅｒｃｅｐｔｕａｌ ｅｌｅｍｅｎｔ）、たとえばグラフィックアイコン（１０）を組み込むことによって提供される。前記知覚的要素（１０）は、特殊ネットワークドメイン名の所有者との関係を示す。次に、前記潜在的有関心者（１）は、前記ネットワーク通信を確立するために、前記アプローチ（前記広告）（３）から理解可能な直感的（ｉｎｔｕｉｔｉｖｅ）ネットアドレス部分（１２）と共に前記特殊ドメイン名を使用する。前記直感的アドレスは、前記ドメイン名所有者と共にデータ・プロセッサ（１３）によって解釈される。その後、前記公示製品（４）に関連する前記申出人（１４）との前記通信がアドレス（９）に直接向けられる。
2004503876.tif 000002
【特許請求の範囲】
【請求項１】
製品の申出人と、その製品に関する潜在的有関心者（潜在的購入者）との間でネットワーク通信を提供するための方法であって、
−　前記申出人が、先ず、公衆、潜在的購入者のグループ、又は個人に対して直接向けられた少なくとも１つの公示経路を介したアプローチによってその製品を公示し、そして、
−　前記潜在的有関心者（潜在的購入者）が、前記申出人に接続された特殊なネットワークアドレスによって通信を確立する方法であって、
−　前記申出人が、少なくとも１つの特殊ネットワークドメイン名の所有者との関連を示すために、前記アプローチ中にユニークな知覚的要素を組み込み、
−これによって、前記潜在的有関心者が、ネットワーク通信を確立する時に、前記特殊ネットワークアドレスを、前記ドメイン名と共にアプローチ特異的直感的ネットアドレス部分として使用し、そして、
−　前記ドメイン名所有者が、すぐにデータ・プロセッサによって前記アドレスを解釈し、前記通信を、前記申出人の、又は、前記申出人に関連し、かつ、前記公示製品又は前記アプローチ中の多数の独立変数中の１つの独立変数に関連する、アドレスに向けることを特徴とする方法。
【請求項２】
製品の申出人と、その製品に関する潜在的有関心者（潜在的購入者）との間のネットワーク通信を提供するためのシステムであって、
−　公衆、潜在的購入者のグループ、又は個人に対して直接向けられ、その経路において前記申出人が前記製品に関するアプローチを出す、少なくとも１つの公示経路と、
−　それによって前記潜在的有関心者が、前記申出人に関連する特殊なネットワークアドレスによって前記申出人と通信を確立するネットワークとを有するシステムであって、以下を有する、
−　前記申出人が、少なくとも１つの特殊なネットワークドメイン名の所有者からの許可によって、前記アプローチ中に組み込むユニークな知覚的要素、そして
前記所有者に属し、アドレスのコンピュータ処理と、前記潜在的有関心者によって指定されたネットワークアドレスに基づいてその潜在的有関心者からのネットワーク呼び出しの前方ルーティングが可能なネットワークセンタ、前記ネットワークアドレスは、前記特殊ドメイン名を備えるアプローチ特異的直感的ネットアドレスであり、前記前方ルーティングは、その後、前記申出人の又は前記申出人に関連し、前記公示製品、又は、前記アプローチ中の多数の独立変数中の１つの独立変数に関係するアドレスに対して直接に行われる。
【請求項３】
前記公示経路は、印刷メディア、たとえば、新聞、定期刊行物、パンフレット、出版物、はがき、ポスター、手紙、名刺、広告資料、又は、印刷されたマーキングを有する商品である請求項２に記載のシステム。
【請求項４】
前記公示経路は、放送（ｅｔｈｅｒ）メディア、たとえば、番組と広告特集（ａｄｖｅｒｔｉｓｅｍｅｎｔ ｆｅａｔｕｒｅｓ）とを有する、ラジオ又はテレビである請求項２に記載のシステム。
【請求項５】
前記公示経路は、出版および／又はワールドウェッブ、地域ウェッブ、又はローカルウェッブに接続された通信フォーラムである請求項２に記載のシステム。
【請求項６】
前記公示経路は、知覚的マーキング、それぞれのプログラムカテゴリに関連付けられた特殊ドメイン名、を有するプログラムカテゴリを有する請求項２に記載のシステム。
【請求項７】
前記知覚的要素は、前記製品に関する視覚的アプローチ中のグラフィック要素である請求項２から請求項６のいずれかに記載のシステム。
【請求項８】
前記知覚的要素は、前記製品に関する音声アプローチ中の、特殊音又は音の組み合わせである請求項２に記載のシステム。
【請求項９】
前記知覚的要素は、前記製品に関する芳香性アプローチからのにおいである請求項２に記載のシステム。
【請求項１０】
前記所有者の前記ネットワークセンタは、前記申出人及び前記潜在的購入者と前記公示経路との間の通信に関連するデータの処理及び確認を行うためのツールを備えている請求項２に記載のシステム。
【請求項１１】
前記ネットワークセンタのコンピュータは、確立された各アプローチに対するトピカル及び可能なネットアドレス部分、と、更に、取り違えられたそのようなネットアドレス部分とを含むルックアップテーブルを備えている請求項２に記載のシステム。
【請求項１２】
前記製品は、物質製品（商品）、サービス、アプリケーション、機能、アクセス許可、データ保存を有するグループに含まれる請求項２に記載のシステム。
【請求項１３】
リアルタイム市場調査を行うための方法であって、
公示経路のための流通データが、公示製品に関するネットワーク通信時に、潜在的購入者と申出人に関連するデータベース記録プロファイルに対して自動的に交差接続され、前記プロファイルが、前記潜在的購入者と申出人との間の前記ネットワーク通信での声明によって起動され、前記ネットワーク通信が、前記経路を介した前記製品公示の知覚的マーキングによって開始されることを特徴とする方法。
【請求項１４】
製品に関してその製品の申出人と潜在的有関心者（潜在的購入者）との間のネットワーク通信のためのシステムに於けるネットワークアドレッシング方法であって、前記申出人が、公衆、潜在的購入者のグループ、又は個人に対して直接向けられることが可能な公示経路において前記製品に関するアプローチを出し、有関心者が、アプローチによって、ユーザインターフェースを介してネットワーク通信を開始する方法であって、
前記有関心者の前記ユーザインターフェースは、通常の言語規則に基づいて前記有関心者によって入力されたアプローチ特異的直感的アドレス部分をデータ論理ネットワークアドレスに自動的に変換することを特徴とする方法。
【発明の詳細な説明】
【０００１】
本発明は、ネットワーク通信、詳しくは、添付の請求項１及び２の前提部に定義されている、製品の申出人と、その製品に関する有関心者（潜在的購入者）との間のネットワーク通信を提供する方法とシステムとに関する。
【０００２】
マーケティングの試みにおいて利用可能なインターネットアドレスは、多くの場合、あまりにも「テクニカル」であるか、もしくは、それらは、マーケティングの観点から直接的には無関係でありうる。この問題は、マーケティング通信に反映される関係を有するすべての商業組織に関連する。多くの場合、ユーザ／消費者のなかで、たとえば、新聞広告でこれらの要素を見たあと、供給者、国コード、供給者営業組織、製品のカテゴリ、更に、その製品名自身、を記憶することができるものは非常に僅かである。正確なテクニカルアドレスを提供するためには、それらの異なる要素を、正確な論理シーケンスのアドレスで確立しなければならず、これらの要素のスペリングさえ正確でなければならない。現実には、大半の消費者は、せいぜい、その製品名、又は、恐らくは、そのマーケティング努力又は広告で使用された標語を記憶することができるのみである。難しいテクニカルアドレスの一例は、たとえば、ｗｗｗ．ｋｏｊａ．ｃｏｍ／ｎｏｒｇｅ／ｍｏｂｉｌｔｅｌｅｆｏｎ／６１５３．ｈｔｍである。
【０００３】
他方、単純で短いアドレスでは、かなり無関係である可能性がある。一例は、たとえば、ｗｗｗ．ｋｏｎｊａ．ｃｏｍである。そのマーケティング努力において促進されている製品又はサービスに関して更に情報を見つけるためにこのインターネットアドレスカテゴリを訪れる消費者／ユーザは、例外的な場合にのみ、関連する情報を見出すかもしれない。より多くの場合は、その消費者は、この場合、その供給者の一般ホームページを見つけ、そのページには、その消費者が最初から見つけ出そうと試みた特定の情報以外の多くの情報が含まれているであろう。
【０００４】
ユーザ／消費者が、テクニカルアドレスを正確に銘記又は記憶しておく必要がないように、正確で関連するインターネットアドレスへのユーザ／消費者のためのもっと単純なルートを提供しようとするいくつかの試みが行われてきた。ＧｏＣｏｄｅ社は、新聞の段落又は広告とともにバーコードが印刷されているシステムを提供した。これらのコードは、パソコンに取り付けられたハンドヘルドスキャナによって読み取ることができる。それによって、その新聞の情報からネットワーク上の背景情報への直接的で迅速な接続が達成される。これにより、新聞はインターネットに対する門（ポータル）となる。
【０００５】
しかしながら、上述したシステムは、第１に、装置、すなわち、バーコードを読み取るための光学スキャナ、の購入を必要とし、第２に、パソコンの横に座っている時のみ、そのシステムを使用することが可能であり、さもなければ、更に持ち運ぶことが可能な取り外し可能でバッテリ駆動式スキャナを提供しなければならない。理想的な解決法は、マーケティングで使用されるインターネットアドレスが非常にユニークかつ直感的なものであることによって、ユーザ／消費者が、実際にそれらを記憶し、又、それらをそのまま使用するようになることであろう。これは、ブラウザのアドレスラインに直接書き込まれる、そのように直感的なインターネットアドレスによって、ユーザ／消費者が、実際にそのマーケティングの試みにおいて約束された情報へと直接に導かれるということを意味する。単に、その製品名自身、又は、たとえば、標語のみ、たとえば、ｗｗｗ．６１５３．ｃｏｍ又はｗｗｗ．ｄｉｓｃｏｎｎｅｃｔｉｎｇｐｅｏｐｌｅ．ｃｏｍで十分である。
【０００６】
本発明は、上述したストラテジーに沿ったものであり、前述の問題を解決するものである。従って、その目的は、消費者／ユーザが、たとえば、普通の新聞をインターネットへのゲートウェイとして使用するために追加の装置を購入する必要を無くすことにある。
【０００７】
従って、本発明の課題は、上述した問題に対する解決手段を提供することにあり、その解決手段は、導入部において記載した方法及びシステムであって、添付の請求項１及び２の特徴項に記載の特徴構成を有する方法とシステムを使用することによって実現する。本発明の好適実施例は、添付の従属請求項２−１２の特徴項に示されている。
【０００８】
本発明の別の態様は、添付の請求項１３に定義されており、これは、リアルタイム市場調査を実行するための方法に関する。
【０００９】
本発明の更に別の態様は、添付の請求項１４に記載され、これはネットワークのアドレス指定方法に関する。
【００１０】
以下、本発明の種々の態様及び実施例を、非限定的な実施例を記載することによって更に例示するが、この点に関して、添付の図面において、
図１は、その消費者がその後に、従来技術によってネットワーク通信を確立することを試みることになる、販売者（申出人）からの新聞広告を読んだ後、消費者（潜在的有関心者／購入者）が問題に遭遇する状況を図示している。
【００１１】
図２は、図１に対応する状況であるが、ここでは、消費者が、本発明による知覚的要素を備えた新聞広告を読んだ後に、本発明のシステムを使用して、所望のアドレスとネットワーク通信を確立する状況を図示している。
【００１２】
図３は、本発明の前記システムに含まれる特徴構成の具体例の略図である。
【００１３】
図４は、本発明の方法の特徴構成を図示するとともに、更に、リアルタイム市場調査の態様を例示している。そして
【００１４】
図５は、グラフィック要素として構成された知覚的要素の具体例を図示している。
【００１５】
キャンペーンがより伝統的な公示経路（ａｎｎｏｕｎｃｅｍｅｎｔ ｃｈａｎｎｅｌ）を介して通信されるときに、インターネットがそのサポート経路としてますます使用されるようになってきている。インターネットをマーケティング通信に導入することの問題の１つは、インターネットにある情報を、潜在的購入者がその問題のインタラクティブ情報を見つけることが簡単であるように、そのキャンペーンと結びつけることであった。
【００１６】
現在、これを行うのに実質的に２つの方法が存在する。
【００１７】
その潜在的購入者を申出人のインデックスページへ案内し、このページが、公衆にとって魅力的で、理解容易で、その所望の情報が即座に入手できないときでも、あきらめることのないユーザインターフェースを持っていることを期待することが可能である。もう１つの解決手段は、完全なＵＲＬ（たとえば、ｈｔｔｐ：／／ｗｗｗｗ．ａｕｔｏｐａｒｋ．ｎｏ／ｐｒｉｖａｔｅｃａｒ／０２３６５５．０１．ｈｔｍ等）を記載し、その潜在的購入者が後でこのアドレスを再構成することができることを期待することである（ＵＲＬとは“Ｕｎｉｆｏｒｍ Ｒｅｓｏｕｒｃｅ Ｌｏｃａｔｏｒ”、完全なインターフェースアドレス、のことである）。
【００１８】
従って、図１を参照すると、潜在的有関心者／購入者１が、伝統的な公示経路、この場合は新聞２に、その潜在的購入者１にとって魅力的な製品４が提供されている広告３を見つけると、その購入決定への第１のステップは、関連する追加情報の入手可能性であろう。それがその広告３中のＵＲＬ５に参照されると、その潜在的購入者は、当然、機会があれば、その提供されている製品４をより詳しく調べるためにネットワークにログオンする。
【００１９】
問題は、その潜在的購入者１が前記製品４に関連する所望の情報を見つけるために完全なＵＲＬ５の再構成６を行わなければならない時にしばしば発生するであろう。ＵＲＬアドレス５は、データ論理的であり、従って、潜在的購入者１は、記憶することが困難な単語と記号の構成を記載することを強いられる。その結果、しばしば、ユーザにとっての敷居が高くなり、その過程であきらめる潜在的購入者が発生する可能性がある。もしも潜在的購入者１が正確なＵＲＬ５を思い出すことが出来ない場合、他の方法を使用しなければならない。もしもその潜在的購入者１がインターネットを知っておれば、検索エンジン７を使用することが自然である。検索エンジン７を使用してネットワーク内を検索することは、所望のウェブベージ９が利用可能となるまでに多くの「回り道」８がある時間のかかる作業である。
【００２０】
本発明が提供されるのはこの段階であって、以下、それについて本発明の方法の実施例を示す図２を参照する。広告アプローチ３を読んだ後に、広告された製品４、たとえば、車、に関する潜在的購入者を構成する消費者１は、ここでは、ネットワークアドレスの代わりに、又は、それ加えて、その消費者に非常に特殊な何かを伝える特殊な知覚的要素１０を見つける。すなわち、広告３から容易に思い出すことのできる言葉の独立変数（ａｒｇｕｍｅｎｔｓ）を使用し、そのような独立変数を、記憶することが容易で、本発明によるシステムのオペレータに属する、ドメイン名と共に、ブラウザ上でアドレスラインに書き込むだけで十分である。このオペレータは、前記消費者によってキーインされた単純なアドレスを「解釈」することができるデータプロセッサ１３を所有しており、次に、このプロセッサ１３が、その消費者のネットワーク検索を、その申出人の正確なウェッブページ９へ向ける。
【００２１】
従来のデータ論理的なＵＲＬを、知覚的要素１０によって広告された直感的なネットワークアドレスパートに置き換えることによって、潜在的購入者１には、これによって、直感的ネットワークアドレスに連結する可能性が提供される。このようにして、前記潜在的購入者１は、対象のウェッブページ９とのコンタクトを得ることに関して、はるかに楽になる。前記知覚的要素１０は、ドメインとの接続を示す。その結果、前記潜在的購入者１は、ドメイン名の他には、通常は、前記広告の直感的部分、通常は、独立変数１１又はその一部以外は何も記憶しておく必要がない。潜在的購入者１が前記直感的アドレス１２とドメイン名を入力するやいなや、そのドメイン名の所有者は、この情報を解釈し、データ・プロセッサ１３によって、対象のウェッブページ９へ接続を転送する。潜在的購入者１は、なんら回り道８無く、そのウェッブページ９へ直接案内される。
【００２２】
しかしながら、ネットワーク通信を提供する本発明の方法とシステムは、単なる潜在的購入者と、「第１ライン・ポータル」としての新聞広告を有する販売者／広告主との間だけでなく、より広いコンテクスト（ｃｏｎｔｅｘｔ、情況）で利用することが可能である。
【００２３】
新聞メディアは、公示経路として作用することが可能であるという事実に加えて、潜在的有関心者に対して、それに対応して、他のメディア、特に、定期刊行物、パンフレット、その他の出版フォーラムを介してオファーを知らせることが可能であることが明らかである。もちろん、たとえば、広告メッセージも、ポスター、はがき、メモ用紙、及び名刺、を介して伝えることができる。更に、たとえば、贈答品（ペン等）としての広告資料に関するテキスト／画像情報によって対応するメッセージを伝えることができる。もう一つの例は、既製商品が、たとえば、修理／サポート電話サービス等との関連でテキスト又は画像情報と共に提供された場合である。換言すると、たとえば、その裏側又は内側に文字／画像情報を備えて既製供給されるコピー機等は、広告を有する新聞と同様に作用し、その供給される商品は、実際には、公示経路となる（従って、その商品の供給者が、ここで意図される意味においては「申出人」となり、その製品の購入者／所有者が、「潜在的有関心者」となり、その潜在的購入者が興味を有しているその「製品」がその供給者との修理／サポートサービスとなる）。
【００２４】
しかしながら、重要なことは、その特殊なドメイン名（たとえば、ドメイン名“ｗｅｂｔａｇ．ｎｏ”）が、潜在的購入者の意識内に留まり、その潜在的購入者は、自分がその広告から知覚したことから、直感的ネットアドレス部分を容易に記憶／再構築することが出来るということである。たとえば、最後に述べた例において、潜在的有関心者は、恐らく“ｓｅｒｖｉｃｅｃａｎｎｏｎ３０５．ｗｅｂｔａｇ．ｎｏ”を作り出すであろう。すなわち、彼は、彼が購入した機械（ｃａｎｎｏｎ３０５）の名前を知っており、彼は、その機械上の銘刻文字がサポートサービスに関するものであることを知っている。次に、そのような質問が、前記“ｗｅｂｔａｇ．ｎｏ”ドメインの所有者の前記プロセッサ１３によって解釈され、正確な供給者のウェッブページへと直接向けられる。
【００２５】
すなわち、消費者が“ｃａｎｎｏｎ３０５ｓｅｒｖｉｃｅ．ｗｅｂｔａｇ．ｎｏ”と書くか否か、又は、たとえば、“ｃａｎｎａｎ３０５ｓｅｒｖｉｃｅ．ｗｅｂｔａｇ．ｎｏ”等のいくつかのエラーをするか否かが問題でないならば、ドメイン名所有者のデータ・プロセッサ１３は、前記直感的アドレス部分に関してさまざまな転訛やミスプリントによって邪魔された変形例でもそれらを受け取る準備ができているということである。
【００２６】
しかしながら、上述したケースにおいては、そのドメイン名所有者は、むしろ、たとえば、“ｓｕｐｐｏｒｔａｇ．ｎｏ”といった「特別仕様（ｔａｉｌｏｒｅｄ）」の別のドメイン名を使用するであろう。そして、これによって、消費者の手間が簡略化される。いまやメンテナンス／サポートが既にドメイン名に含まれているので、消費者は、他人、その製品名、すなわち“ｃａｎｎｏｎ３０５．ｓｕｐｐｏｒｔａｇ．ｎｏ”を言えばよい。
【００２７】
たとえば、「新しいフーバー（Ｈｏｖｅｒ）社の洗濯機１５００は、他のどの機械よりも洗濯性能が良く、しかもｋｒ．４９９０という手頃な価格です」という文言を含む広告に関して、前記プロセッサは、直感的アドレス部分として、“Ｈｏｖｅｒ”， “１５００”， “４９９０”，「良く」、「洗濯」、「手頃」といった表現の順列、更に、ミスプリントを含むその変形例、を受け入れるべく対応されていなければならない。
【００２８】
公示経路に戻って、新聞やそれに類似のメディアと同様、チャンネル、ｃｏｍｐａｒｅラジオ、ＴＶ等の放送（ｅｔｈｅｒ）メディアも使用することができる。広告特集や、その他の番組特集も、知覚的要素の手段として類似の認識を提供するべく作用できるかもしれない。新聞やそれに類似のメディアにおいて、そのような知覚的要素は、好ましくは、印刷されたグラフィック要素１０であり、類似の視覚的要素を視覚的放送（ｅｔｈｅｒ）メディア、すなわち、ＴＶに使用することができる。又、音声又は音声の組み合わせを、音声通信、すなわち、ＴＶとラジオの両方、とに使用することができる（聞くことの可能な特殊音が、そのドメイン名“ｗｅｂｔａｇ．ｎｏ”を示し、その後、潜在的購入者／ＴＶ視聴者は、この特定の広告又は番組特集、に関連する「何か」だけを記憶しておけばよく、この「何か」は、完全なウェッブアドレス／ＵＲＬである必要はない）。
【００２９】
更に、使用することが可能な前記公示経路は、もちろん、インターネット自身、又はより一般的には、世界的ネットワーク（Ｗｏｒｌｄ Ｗｉｄｅ Ｗｅｂ）又はもっとローカルなネットワーク、であってよく、すなわち、前記アプローチは、印刷メディア、又は、たとえばＴＶに表示することが可能なものと極めて同様にウェッブページとして行うことができる。前記知覚要素は、視覚的および／又は音声的なものとすることができる。
【００３０】
最近の携帯電話も、たとえば、音声と画像との両方によって広告を送信することができ、従って、それらも、公示経路として使用することができる。
【００３１】
更に、より特殊な形態の知覚要素は、におい、とすることができる。すなわち、広告記事に、におい発生剤を含ませることができ、そのにおいが、有関心者に対して、これが“ｗｅｂｔａｇ．ｎｏ”であることを示し、潜在的有関心者は、これに基づいて、前述したような、その対象の提供者とのネットワーク通信を確立することができる。
【００３２】
前記アプローチを介してオファーされるトピカル（ｔｏｐｉｃａｌ）製品は、商品（たとえば、自動車やコンピュータ）だけでなく、サービス（修理／メンテナンス又は電話サポートサービスと比較される）とすることも可能であることは既に述べた通りである。前記製品の一例として、更に、たとえばネットワークサービスに関する、入場許可、とすることもでき、この入場許可は、レベル分けすることが可能である。前記製品は、更に、特にコンピュータ処理及びネットワークオペレーションとの関係において、アプリケーション、機能又はデータ保存サービス、とすることも可能である。そのようなタイプの製品の一例は、以下の「ストーリー」によって例示することができる。
【００３３】
Ｏｌａ Ｎｏｒｍａａｎｎは、表面と、ペンと、カレンダー、連絡帳、及び提出書類を備える普通の書き机にたとえることができる仮想デスクトップ（マイクロソフト社ウィンドウズのユーザインターフェースに似ていなくもない）である“ｏｌａ．ｎｏｒｍａｎｎ．ｄｅｓｋｔｏｐａｇ．ｎｏ”を持っている。
【００３４】
このデスクトップに関連して、彼は、知覚的要素を有し、この場合、それらはほとんど音声に関連している。
【００３５】
ある日、彼は、通りで青春時代の恋人とであった。彼女は、自分がその始まりの部分を読んだことのある彼のすばらしい小説がどうなったのかと思った。その後、彼女は、彼に再び会いたいと言った。そのとき、必要な連絡データを交換するためにペンと紙がなかったが、彼は、単に彼の妻が、その出会いは罪の無いものではあったけれども、彼らが出会ったという事実を気に入らないであろうから、彼女に対してｏｌａ．ｎｏｒｍａｎｎ．ｐｈｏｎｅｔａｇ．ｎｏ又はｏｌａ．ｎｏｒｍａｎｎ．ｐｅｒｓｏｎｔａｇ．ｎｏで自分を呼び出してほしくないとはっきり言った。
【００３６】
「でも」と彼は言った。「君が、僕のネットワークアドレス“ｏｌａ．ｎｏｒｍａｎｎ．ｄｅｓｋｔｏｐｔａｇ．ｎｏ”にメッセージを残してくれるなら、僕は“ａ．ｙｏｕｎｇ．ｍａｎｓ．ｎｏｖｅｌ．ｐｉｃｋｕｐｔａｇ．ｎｏ”に僕の偉大な小説を表示しよう。」その後、彼らは分かれた。
【００３７】
後に、その昔の恋人は、自分の判断で、彼の仮想デスクトップを訪れ、そこにメモ（機能：メモを書く。これは、別のドメイン名、ｆｕｎｃｔｉｏｎｔａｇ．ｎｏでも良かった）を彼女の電話番号と共に残した。
【００３８】
ところで、Ｏｌａ Ｎｏｒｍａｎｎは、“ａ．ｙｏｕｎｇ．ｍａｎｓ．ｎｏｖｅｌ．ｐｉｃｋｕｐｔａｇ．ｎｏ”というアドレスを借りており、ここに彼の偉大な小説が保存されている。これに保存されているドキュメントは、正確なコード（ネットワークアドレス部分“ａ．ｙｏｕｎｇ．ｍａｎｓ．ｎｏｖｅｌ”）によってのみ取り出すことが可能であり、従って、それは、潜在的な有関心者（そのアドレスを借りているＯｌａ）が、実質的に、アクセスレベル／制限及び保存に関連つけられているドメイン名を表す。
【００３９】
最後に述べた“ｐｉｃｋｕｐｔａｇ”アドレスも、それ自身、アクセスに関連つけられた製品となりうる。
【００４０】
図３には、本発明による、ネットワーク通信を提供するためのシステムと方法に含まれる要素の一部が概略図示されている。申出人１４は、自分が、単数又は複数の公示経路、たとえば、ＴＶ１７，ラジオ１５、新聞２および／又はデータネットワークフォーラム、を介して潜在的購入者との通信を得たいと望む製品４（この場合は、自動車である商品）を有し、彼は、多数の潜在的購入者１に対して、新聞広告３および／又はラジオ番組および／又はＴＶ番組又は特殊な広告特集としての、アプローチ３を向ける。前記アプローチには、たとえば、視覚的通信（複数の可能なメディアを介した）用の特殊な視覚的要素１０、又は、音声的要素１６（ラジオ又はその他のメディアを介した）とすることができる、“ｗｅｂｔａｇ．ｎｏ”に対する所属を示す知覚的要素が含まれている。
【００４１】
その後、前記消費者／潜在的購入者１は、所有者／オペレータ（図示せず）に属する入手したドメイン名を、自分が自分の記憶から取り出した直感的アドレスと組み合わせることによって、自分の端末１８又は１９を介してネットワーク通信を開始する。このアドレスは、前記ドメイン名所有者に属するサーバ１３へと導くものであり、このサーバは、そのアドレス全体を分析して、前記申出人がその潜在的購入者を導いて行くことを意図したネットワークアドレスへの直接的な順方向接続を確立する。これは、その申出人自身のウェッブページ又は彼自身のコンピュータである必要はなく、一般には、その公示／製品に関して申出人に接続されたアドレスである。
【００４２】
図４は、図３に示したタイプのものと該して類似の全体略図であるが、ここでは、いくらか更に詳細に、本発明のその他の利点のいくつかの可能性が例示されている。
【００４３】
前記申出人１４は、図４において認識され（通常は、商品の製造業者として）、その申出人は、前述したように、潜在的購入者１に対して影響を及ぼすために、恐らくは、新聞社又は代理店２１と印刷業者／番組制作／配送２２を介して、公示経路２、１７を確立する。前記潜在的購入者１は、前記知覚的要素マーキングを知覚し、ネットワークセンタ１３を介して、直感的アドレスにより、自分の端末１９から、その申出人に関連するウェッブページ９へのネットワーク通信を確立し、そして、潜在的購入者は、このページで、申出人とのインタラクティブ通信を確立することができる。
【００４４】
好ましくは、前記ドメイン名所有者のネットワークセンタ１３は、潜在的購入者、申出人、及び通信経路所有者又は代理人間の通信に関するデータを処理し確認するためのツールを備えている。好ましくは、前記「ツール」という表現は、ソフトウエアを意味することが意図される。
【００４５】
前記ネットワークセンタ１３が、本発明の方法における各通信確立の初期段階を処理しているとき、その行為者達（ａｃｔｏｒｓ）（すなわち、申出人１４、公示経路所有者又は代理人２１、更に、潜在的購入者１）が、たとえば、リアルタイム情報に基づいて、システムから統計的事実を受け取る固有の機会が生じる。それは、たとえば、その公示経路所有者、又は、この接続において、前記公示経路を代表又は管理する代理店、たとえば、広告代理店、がそのマーケティングイニシアチブの効果の即座に入手可能な測定を提供することが望まれるかもしれない。本発明の前記システムに拠れば、これらの測定はリアルタイムで入手可能である。その効果の測定は、詳細なものとされ、それらを、複数の変数、すなわち、どの公示経路が選択されるか、その影響範囲、及び、広告キャンペーンの異なる部分に関連付けされたユニークな知覚的要素、等、の変数の種々の組み合わせを有するものとされる。１つの種類の質問は、たとえば、どの見出しが最も高い興味を引いたか、ほぼ所望のターゲットグループか、その内部か、あるいは、どの消費者ターゲットグループが、それを介してアプローチが向けられたその特定の新聞の発行の僅か最初の２時間後に、すでにそのトピカルな“ｗｅｂｔａｇ”をマークされた広告又はテキストに基づいてネットワーク通信を確立するほど非常に興味を抱いたか、等である。
【００４６】
図４において、「プロファイル」という表現が見られるが、これは、その特定の行為者に関するデータ、すなわち、消費者、年齢、性別、住所、学歴、職業、既婚又は未婚、等のデータ、を意味する。申出人／販売者に関するプロファイルは、たとえば、地域、製品グループ、製品仕様、ブランド、価格、配送時間、等の状態変数とすることができる。公示経路の流通／分布に関するプロファイルは、たとえば、流通時間、分布ターゲット地域、受取人アドレス、郵便番号単位での平均収入、等とすることができる。
【００４７】
すべての行為者が、実施中にマーケティング、その他の行為者グループ、又は、自身が属するグループ、に関するリアルタイムのデータを受け取るようにすることが可能であろう。これらのオプションを可能にする要素が、前記知覚的要素とネットワークセンタである。たとえば、特別の新聞に関する流通データを、消費者および、たとえば、製品供給者のデータベースに記録されているプロファイルに対して自動的に組み合わせることによって、その結果、本発明により、リアルタイムのマーケット調査が提供される。対象のプロファイルは、もちろん、前記知覚的マーキングに基づく通信の開始後に、前記ネットワークセンタを介したネットワーク上での消費者と製品供給者との間の通信によって前記データベース内で活性化される。
【００４８】
図４は、潜在的購入者のプロファイルのヒントしか示しておらず、リアルタイムマーケット調査は、申出人に対する結果のみで示されているが、調査が、図面に示された構造においてその他の「方向」にも実行することが可能であることは明白である。
【００４９】
本発明の一実施例において、前記公示経路は、知覚的マーキングを備えるプログラムカテゴリであり、ここで、特殊なドメイン名がそれぞれのプログラムカテゴリに接続されている。これは、最も興味深いタイプの公示経路、すなわち、新聞を介する公示を観察することによって更に詳細に例示することができる。新聞において、互いに識別されたユニークなドメイン名が、たとえば、各プログラムに関して購入者と販売者との間のネットワーク通信をサポートすることができる。新聞は、特殊ドメイン名と、インデックスプログラムのように組み込まれる知覚的マーキングの原理により、完全に物理的な、印刷「第１ラインネットワーク・ポータル」を代表することができる。ドメイン名は、たとえば、新聞の自動車の案内広告の“ａｕｔｏｔａｇ．ｃｏｍ”、中古機械の広告の“ｓｅｃｏｎｄｈａｎｄｔａｇ．ｃｏｍ”、新聞のＴＶ番組の“ＴＶｔａｇ．ｃｏｍ”等とすることができる。この番組カテゴリ機能は、新聞、潜在的購入者、更に申出人にとって、かなりの付加価値を提供することができる。ここで、ずっと新聞案内広告レベルまでのマーケティングに基づく購入者と販売者との間のネットワーク通信を確立する可能性が認識される。更に、編集対象におけるアイコン（知覚的／グラフィックマーキング）を実施するオプションをサポートすることも可能であると理解される。
【００５０】
最後に述べた特徴構成は、本発明のもっと一般的な態様、すなわち、購入者／販売者／広告のみらならず、有関心者／申出人／アプローチと関連している。この一般的グループ分類における他のより特殊なグループは以下の通りである。
【００５１】
意見形成：　市民／政治家、当局／政治メッセージ
娯楽、文化、スポーツ：　観衆／アーチスト／美的経験
調査：　「詮索」／学者／知識
社会グループ：　親戚、友人／親戚、友人／「ゴシップ」、挨拶
対象コミュニティー：　個人／理想的組織／リクエスト。
【００５２】
しかしながら、その構造にどのグループ例が含まれるかに拘わらず、１つの商業的観点が根底にある。すなわち、これからシステムを使用しようとしている申出人は、そのドメイン名所有者によるアプローチの知覚的マーキングと、所有ネットワークセンタとに依存するという観点であり、申出人は、最終的には、所有者によって提供されるサービスに対して支払いを行わなければならない。
【００５３】
導入部で述べたように、本発明の１態様は、上述したタイプのシステムに於けるネットワークアドレス方法である。この方法の特徴は、潜在的有関心者のユーザインターフェースが、自動的に、通常の言語規則、たとえば、２つの単語間の停止、に従って、直感的ネットアドレス部分を、データ論理ネットワークアドレスに変換することにある。これを行わせるために、潜在的有関心者の端末、又は、その背後の装置は、そのようにプログラムされていなければならない。前記プログラムは、たとえば、ドメイン名所有者のネットワークセンタから、本発明のシステムを始めて使用するときにダウンロードすることができる。若しくは、それは、それに対する別のアプローチによってダウンロードすることができる。前記プログラムは、ユーザインターフェースの別の供給者からの配送中の１つの機能として含ませ、実行することができる。最初から、ネットワークユーザであると想定される前記潜在的購入者／有関心者は、アドレスに入れられる直感的要素は、データ論理言語規則に従って書き込まれなければならないと直感で認識している。しかし、ここで記載される本発明の態様においては、通常の言語書き込みのための機会（ｏｐｅｎｉｎｇ）も存在するが、しかし、前記端末／ユーザインターフェースは、上述したように、ネットワーク上でアドレスを使用する前に、変換に対応しなければならない。
【００５４】
強調されなければならないもう一つの特徴は、たとえそのアプローチが１つの知覚的ラベルによってマーキングされているだけでも、公示中の申出人からのアプローチテキスト中のすべての独立変数 （ａｒｇｕｍｅｎｔｓ）に、その対象のドメイン名と共に個々のネットワークアドレスを備えさせることができることにある。広告は、たとえば、そのコーナーに“ａｄｔａｇ．ｃｏｍ”によってマーキングすることができ、他方、その広告のすべてのテキストが、個々のネットワークアドレス部分に対して示される。もしも消費者がその価格を最も明確に記憶しているのであれば、彼は、ドメイン名“ａｄｔａｇ”と共に、アプローチ特異的直感的ネットワークアドレス部分としてその独立変数（テキスト）“２．９９９”を使用するであろう。これによって、その消費者は、その申出人の適切な購入サービスへと直接導かれる。
【００５５】
しかし、もしも、「１０年間保証」が、その消費者にとって最も魅力的に見える特徴であるならば、前記ドメイン名“ａｄｔａｇ”と共に、アプローチ特異的直感的ネットワークアドレス部分としてその独立変数「保証」によって、その消費者は、その申出人の保証プランへと直接導かれる。換言すると、本発明は、１つの同じアプローチ中に、ドメイン名と共に、複数のネットワークアドレス部分を組み込むものである。
【００５６】
新聞で利用される視覚的要素に最も興味が持たれる場合には、上述した知覚的要素は、たとえば、ユニークなフォント、特殊な属性（色、太字、下線、イタリック体、かすみ等）を有する既存のフォント、特殊文字、特殊なテキスト又はナンバリング、明示的要素（たとえば、書かれた“ｎｅｔａｄｄｒｅｓｓ．ｗｅｂｔａｇ．ｎｏ”）、暗示的要素（たとえば、“ｔａｇｇｅｄ！”， “１２３”）、略語（“ｗｗｗ”等）、又は、「アイコン」を含む特殊なグラフィックラベル等とすることができる。
【００５７】
図５は、たとえば、広告用とされるそのようなグラフィックラベルの一例を図示している。もちろん、そのサイズは適合させることが可能である。
【００５８】
別の可能性は、たとえば、広告の単数又は複数のコーナーの除去、コーナー部分の丸め、等による、規則又はコンテクストの違反（ｃｏｎｔｒａｖｅｎｔｉｏｎ）を使用することである。
【００５９】
音声的要素に関して、本発明の機能は、たとえば、発声メッセージに関する、あるネットワークアドレスが通信されたことを警告する、あるいは、音が「フェードアウト」する前に、応答することによって通信を確立することができる、ユニークな音、又は、ユニークな音の組み合わせ、を使用することによって通信することができる。明示的話し言葉（たとえば、人が“ｎｅｔａｄｄｒｅｓｓ．ｗｅｂｔａｇ．ｎｏ”と言う）や、暗示的話し言葉（“ｔａｇｇｅｄ”， “１２３”）も、使用することが可能である。
【００６０】
本発明は、多くの利点を提供する。ドメイン名所有者のサービスを利用する申出人には、かれらのマーケティング努力において特別にデザインされた知覚的要素を公開する権利が与えられ、その申出人のネットワークサイトを訪れたユーザに関する統計データ及びコンタクトデータが提供される。申出人は、多くの場合、自分自身のウェッブサイトを有する、地方、地域又は国内及び国際マーケット、商業組織である。ドメイン名所有者は、これらの多数のクライエントに対して、購買動機を有し魅力的なターゲットグループからより良好にレスポンスを得る可能性を提供することができるであろう。更に、ドメイン名所有者は、特に、将来のマーケティング努力に関する決定の基礎として適切な、種々のタイプの統計データ及びコンタクトデータから成る分化された製品ポートフォリオを提供することが出来るであろう。
【００６１】
ドメイン名所有者の主要な通信経路は、恐らく新聞であろう。新聞は、販売及び出版経路として、かれらの広告主に対する改善されたサービスを通じて、利点を提供されるであろう。そして、彼らは、たとえば、販売された知覚的ラベルに対する収入の削減を通じて、かれら自身の広告販売からより大きな利益を得るであろう。
【００６２】
ドメイン名所有者にとって第２の公示経路は、「ブローカー」、すなわち、通常は、ＰＲ代理店、広告代理店、ウェッブデザイン代理店又は独立ブローカーを通じて使用されるであろう。そのようなブローカーには、たとえば、販売された知覚的ラベルに対する収入の削減に加えて、改善されたマーケティング通信、資料管理、及びメタ情報（ｍｅｔａ−ｉｎｆｏｒｍａｔｉｏｎ）、等、を通じて利点が提供されるであろう。
【００６３】
提供されるサービスは完全にネットワークに基づくものであるため、ドメイン名所有者の組織を比較的低コスト（ｍａｒｇｉｎａｌｌｙ）で設立し、経営することが可能である。消費者は、そのドメイン名所有者自身のウェッブサイトで、サービスの注文、維持、支払いを行う。ハードウエアのコストに関して、ドメイン名所有者によって提供されるサービスは、既存の利用可能なサーバ技術を利用するものであり、従って、開発するのが比較的安価であると言うことができる。このように、本発明は、非常にコスト的に有利な可能性を提供する。
【００６４】
潜在的購入者／消費者にとっても非常に多くの利点がある。「アドレスを記憶する」ことが非常に容易であろう。更に、単に直感的アドレスがブラウザウインドウに直接書き込まれているので、そのシステムを使用することは非常に容易であろう。消費者は、インターネット上でその製品／サービスに関する関連情報に直接に案内される。従って、時間が節約され、電話代が節約され、しかも、そのサービスは消費者にとって無料である。消費者は、その国コードに拘わらず、常に迷うことがない。
【００６５】
ドメイン名所有者の観点からのその他の重要な特徴は以下の通りである。
【００６６】
−　前記知覚的マーキングの使用によって、フルテキスト、又はテキスト部分、を有効なネットワークアドレスとして「聴衆」に通信することが可能である。
【００６７】
−　完全な知覚的プログラムを有する自分のメディア又はフォーラムの流通／出版を得ることが可能である。これの具体例は、コラムミリメータ（ｃｏｌｕｍｎ ｍｉｌｌｉｍｅｔｅｒｓ）の売上に関連する広告収入のみによるものとは異なる、ウェッブトラフィックからの収入を通じて可能とされる、無料の新聞の配布である。
【００６８】
−　関連するウェッブアドレスを同定するのに適した知覚的ラベルを無料配布（ｇｉｖｅ ａｗａｙ）／管理／販売することが可能である。換言すると、消費者に対するロイヤルティプログラムをライセンス、及び構築することが可能である。
【００６９】
−　知覚的マーキングを通じて同定されるウェッブアドレスに添付されたコンテンツを出版することが可能である。
【００７０】
−　ネットワーク行為者に関連するプロファイル及びデータの記録に対して、関連するウェッブアドレスを備えた知覚的ラベルを提供することができる。
【００７１】
−　ネットワークアドレスの知覚的マーキングを通じて開始されたネットワーク通信に対して流通経路／メディアへの割戻手数料を提供することができる。
【００７２】
−　ネットワーク通信と、その背後のアプリケーションの利用とによって、供給者側から、正確なユーザ／購入者プロファイルに対するより大きな注意を伝えることができる。
【００７３】
−　ネットワーク通信が、ネットワークアドレスの知覚的マーキングを通じて申出人と潜在的購入者との間に開始されたときに、潜在的購入者のプロファイルに関して、データベースに、ウェッブアドレスを独立変数として記録することが可能である。
【００７４】
最後に、本発明の思想は、実質的に、ドメイン名所有者によって提供されるウェッブサービスに於ける、潜在的有関心者を、ブラウザから彼らが望む情報へ直接導く、サーバ技術トランスポートソリューション、統計サービス、知覚的ラベル、及び単純なドメイン名の使用にあることを強調しなければならない。
【００７５】
尚、上記記載は、実施例の説明に基づくものであり、添付の図面によって図示されたものであるが、本発明の範囲は、これらの例及び図面に限定されるものではなく、下記の独立クレームによってのみ限定されるものであることが銘記される。
【図面の簡単な説明】
【図１】
消費者がその後に、従来技術によってネットワーク通信を確立することを試みることになる、販売者（申出人）からの新聞広告を読んだ後、消費者（潜在的有関心者／購入者）が問題に遭遇する状況を図示している
【図２】
図１に対応する状況であるが、ここでは、消費者が、本発明による知覚的要素を備えた新聞広告を読んだ後に、本発明のシステムを使用して、所望のアドレスとネットワーク通信を確立する状況を図示している
【図３】
本発明の前記システムに含まれる特徴構成の具体例の略図である
【図４】
本発明の方法の特徴構成を図示するとともに、更に、リアルタイム市場調査の態様を例示している
【図５】
グラフィック要素として構成された知覚的要素の具体例を図示している
【図１】
2004503876.tif 000003
【図２】
2004503876.tif 000004
【図４】
2004503876.tif 000005
【国際公開パンフレット】
2004503876.tif 000006
2004503876.tif 000007
2004503876.tif 000008
2004503876.tif 000009
2004503876.tif 000010
2004503876.tif 000011
2004503876.tif 000012
2004503876.tif 000013
2004503876.tif 000014
2004503876.tif 000015
2004503876.tif 000016
2004503876.tif 000017
2004503876.tif 000018
2004503876.tif 000019
2004503876.tif 000020
2004503876.tif 000021
2004503876.tif 000022
2004503876.tif 000023
2004503876.tif 000024
2004503876.tif 000025
2004503876.tif 000026
2004503876.tif 000027
2004503876.tif 000028
2004503876.tif 000029
2004503876.tif 000030
【手続補正書】
【提出日】平成14年6月26日(2002.6.26)
【手続補正１】
【補正対象書類名】明細書
【補正対象項目名】特許請求の範囲
【補正方法】変更
【補正の内容】
【特許請求の範囲】
【請求項１】
製品の申出人と、その製品に関する潜在的有関心者（潜在的購入者）との間でネットワーク通信を提供するための方法であって、
−　前記申出人が、先ず、公衆、潜在的購入者のグループ、又は個人に対して直接向けられた少なくとも１つの公示経路を介したアプローチによってその製品を公示し、そして、
−　前記潜在的有関心者（潜在的購入者）が、前記申出人に接続された特殊なネットワークアドレスによって通信を確立する方法であって、
−　前記申出人が、少なくとも１つの特殊ネットワークドメイン名の所有者との関連を示すために、前記アプローチ中にユニークな知覚的要素を組み込み、
−　これによって、前記潜在的有関心者が、ネットワーク通信を確立する時に、前記特殊ネットワークアドレスを、前記ドメイン名と共にアプローチ特異的直感的ネットアドレス部分として使用し、そして、
−　前記ドメイン名所有者が、すぐにデータ・プロセッサによって前記アドレスを解釈し、前記通信を、前記申出人の、又は、前記申出人に関連し、かつ、前記公示製品又は前記アプローチ中の多数の独立変数中の１つの独立変数に関連する、アドレスに向けることを特徴とする方法。
【請求項２】
製品の申出人と、その製品に関する潜在的有関心者（潜在的購入者）との間のネットワーク通信を提供するためのシステムであって、
−　公衆、潜在的購入者のグループ、又は個人に対して直接向けられ、その経路において前記申出人が前記製品に関するアプローチを出す、少なくとも１つの公示経路と、
−　それによって前記潜在的有関心者が、前記申出人に関連する特殊なネットワークアドレスによって前記申出人と通信を確立するネットワークとを有するシステムであって、以下を有する、
−　前記申出人が、少なくとも１つの特殊なネットワークドメイン名の所有者からの許可によって、前記アプローチ中に組み込むユニークな知覚的要素、そして
前記所有者に属し、アドレスのコンピュータ処理と、前記潜在的有関心者によって指定されたネットワークアドレスに基づいてその潜在的有関心者からのネットワーク呼び出しの前方ルーティングが可能なネットワークセンタ、前記ネットワークアドレスは、前記特殊ドメイン名を備えるアプローチ特異的直感的ネットアドレスであり、前記前方ルーティングは、その後、前記申出人の又は前記申出人に関連し、前記公示製品、又は、前記アプローチ中の多数の独立変数中の１つの独立変数に関係するアドレスに対して直接に行われる。
【請求項３】
前記公示経路は、印刷メディア、たとえば、新聞、定期刊行物、パンフレット、出版物、はがき、ポスター、手紙、名刺、広告資料、又は、印刷されたマーキングを有する商品である請求項２に記載のシステム。
【請求項４】
前記公示経路は、放送（ｅｔｈｅｒ）メディア、たとえば、番組と広告特集（ａｄｖｅｒｔｉｓｅｍｅｎｔ ｆｅａｔｕｒｅｓ）とを有する、ラジオ又はテレビである請求項２に記載のシステム。
【請求項５】
前記公示経路は、出版および／又はワールドウェッブ、地域ウェッブ、又はローカルウェッブに接続された通信フォーラムである請求項２に記載のシステム。
【請求項６】
前記公示経路は、知覚的マーキング、それぞれのプログラムカテゴリに関連付けられた特殊ドメイン名、を有するプログラムカテゴリを有する請求項２に記載のシステム。
【請求項７】
前記知覚的要素は、前記製品に関する視覚的アプローチ中のグラフィック要素である請求項２から請求項６のいずれかに記載のシステム。
【請求項８】
前記知覚的要素は、前記製品に関する音声アプローチ中の、特殊音又は音の組み合わせである請求項２に記載のシステム。
【請求項９】
前記知覚的要素は、前記製品に関する芳香性アプローチからのにおいである請求項２に記載のシステム。
【請求項１０】
前記所有者の前記ネットワークセンタは、前記申出人及び前記潜在的購入者と前記公示経路との間の通信に関連するデータの処理及び確認を行うためのツールを備えている請求項２に記載のシステム。
【請求項１１】
前記ネットワークセンタのコンピュータは、確立された各アプローチに対するトピカル及び可能なネットアドレス部分、と、更に、取り違えられたそのようなネットアドレス部分とを含むルックアップテーブルを備えている請求項２に記載のシステム。
【請求項１２】
前記製品は、物質製品（商品）、サービス、アプリケーション、機能、アクセス許可、データ保存を有するグループに含まれる請求項２に記載のシステム。
【請求項１３】
リアルタイム市場調査を行うための方法であって、
公示経路のための流通データが、公示製品に関するネットワーク通信時に、潜在的購入者と申出人に関連するデータベース記録プロファイルに対して自動的に交差接続され、前記プロファイルが、前記潜在的購入者と申出人との間の前記ネットワーク通信での声明によって起動され、前記ネットワーク通信が、前記経路を介した前記製品公示の知覚的マーキングによって開始され、請求項１の方法に拠るものであることを特徴とする方法。
【請求項１４】
製品に関してその製品の申出人と潜在的有関心者（潜在的購入者）との間のネットワーク通信のためのシステムに於けるネットワークアドレッシング方法であって、前記申出人が、公衆、潜在的購入者のグループ、又は個人に対して直接向けられることが可能な公示経路において前記製品に関するアプローチを出し、有関心者が、アプローチによって、ユーザインターフェースを介してネットワーク通信を開始する方法であって、
前記有関心者の前記ユーザインターフェースは、通常の言語規則に基づいて前記有関心者によって入力されたアプローチ特異的直感的アドレス部分をデータ論理ネットワークアドレスに自動的に変換することを特徴とする方法。
【国際調査報告】
2004503876.tif 000031
2004503876.tif 000032
2004503876.tif 000033